(57)【要約】【課題】複数の加入者情報を用いて、パケット通信ネットワークとの複数の通信路の管理を行うこと。【解決手段】通信システム１は通信端末１０と制御装置３０とを備える。第１の加入者情報を用いてパケット通信ネットワークと第１の通信路を確立しているときに、通信端末１０は、第２の加入者情報を取得する取得部１１と、再認証フラグを含む接続要求と第２の加入者情報とを制御装置３０に送信する通信部１２と、制御装置３０から接続完了を受信し、第２の加入者情報を用いた第２の通信路を確立する通信制御部１３と、を備える。制御装置３０は、接続要求と第２の加入者情報とを通信端末１０から受信する通信部３１と、接続要求に再認証フラグが含まれているかを判定する判定部３２と、再認証フラグが含まれている場合、第２の加入者情報の認証を行い第２の通信路を確立し接続完了を通信端末１０に送信する通信確立部３３と、を備える。【選択図】図１
2018133606.tif 000002
【特許請求の範囲】
【請求項１】
通信端末と、制御装置と、を備える通信システムであって、
移動通信ネットワークに接続するための第１の加入者情報を用いて、１つ以上のパケット通信ネットワークのいずれかと第１の通信路を確立しているときに、
前記通信端末は、
第２の加入者情報を取得する取得部と、
前記第２の加入者情報を用いて前記１つ以上のパケット通信ネットワークのいずれかと第２の通信路の確立を要求する場合、前記第２の加入者情報の認証を要求する再認証フラグを含む通信路を設定するための接続要求と、前記第２の加入者情報と、を前記制御装置に送信する第１の通信部と、
前記制御装置から通信路確立が完了したことを示す接続完了を受信し、前記第２の加入者情報を用いた前記第２の通信路を確立する通信制御部と、
を備え、
前記制御装置は、
前記接続要求と、前記第２の加入者情報と、を前記通信端末から受信する第２の通信部と、
前記接続要求に再認証フラグが含まれているかを判定する判定部と、
前記再認証フラグが含まれている場合、前記第２の加入者情報の認証を行い、前記第２の加入者情報を用いて前記第２の通信路に対応するパケット通信ネットワークとの通信路を確立し、前記接続完了を前記通信端末に送信する通信確立部と、
を備える、通信システム。
【請求項２】
前記第１の通信部は、
前記第２の通信路を確立する際に使用する第２の加入者情報を要求する加入者情報要求を前記制御装置から受信し、
前記加入者情報要求に応じて、前記取得部が取得した第２の加入者情報を前記制御装置に送信し、
前記第２の通信部は、
前記接続要求に前記再認証フラグが含まれている場合、第２の加入者情報を要求する加入者情報要求を前記通信端末に送信し、
前記加入者情報要求に応じて、前記第２の加入者情報を前記通信端末から受信する、
請求項１に記載の通信システム。
【請求項３】
前記接続要求は第１の接続要求であって、
前記通信端末は、
前記第２の通信路の確立を要求する第２の接続要求を他の通信端末から受信し、前記制御装置から受信した前記加入者情報要求を前記他の通信端末に送信する第３の通信部をさらに備え、
前記取得部は、
前記他の通信端末からの前記加入者情報要求の応答信号から第２の加入者情報を取得し、
前記通信制御部は、
前記制御装置から接続完了を受信することにより、前記第２の通信路に対応するパケット通信ネットワークと、前記他の通信端末との間で通信路を確立させる、
請求項２に記載の通信システム。
【請求項４】
前記通信端末は、
加入者情報が記憶された加入者識別カードを装着する装着部をさらに備え、
前記取得部は、
前記装着部に装着された加入者識別カードから第２の加入者情報を取得する、
請求項１または２に記載の通信システム。
【請求項５】
前記通信確立部は、
前記接続要求に前記再認証フラグが含まれている場合、移動通信ネットワークに接続可能な加入者情報を記憶する加入者情報管理装置との間で、前記第２の加入者情報の認証と、前記第２の加入者情報の位置登録とを行う、
請求項１〜４のいずれか１項に記載の通信システム。
【請求項６】
移動通信ネットワークに接続するための第１の加入者情報を用いて、１つ以上のパケット通信ネットワークのいずれかと第１の通信路を確立しているときに、
第２の加入者情報を取得する取得部と、
前記第２の加入者情報を用いて前記１つ以上のパケット通信ネットワークのいずれかパケット通信ネットワークとの第２の通信路の確立を要求する場合、前記第２の加入者情報の認証を要求する再認証フラグを含む通信路を設定するための接続要求と、前記第２の加入者情報と、を制御装置に送信する通信部と、
前記制御装置から接続完了を受信することにより、前記第２の加入者情報を用いた前記第２の通信路を確立する通信制御部と、
を備える通信端末。
【請求項７】
前記通信部は、
前記第２の通信路を確立する際に使用する第２の加入者情報を要求する加入者情報要求を前記制御装置から受信し、
前記制御装置からの前記加入者情報要求に応じて、前記取得部が取得した第２の加入者情報を前記制御装置に送信する、
請求項６に記載の通信端末。
【請求項８】
移動通信ネットワークに接続するための第１の加入者情報を用いて１つ以上のパケット通信ネットワークのいずれかのパケット通信ネットワークと第１の通信路を確立しているときに、
前記１つ以上のパケット通信ネットワークのいずれかのパケット通信ネットワークと第２の通信路の確立を要求する接続要求と、第２の加入者情報と、を通信端末から受信する通信部と、
前記接続要求に再認証フラグが含まれているかを判定する判定部と、
前記再認証フラグが含まれている場合、前記第２の加入者情報の認証を行い、前記第２の加入者情報を用いて前記第２の通信路に対応するパケット通信ネットワークとの通信路を確立する通信確立部と、
を備える制御装置。
【請求項９】
通信端末と、制御装置と、を備える通信システムにおける通信制御方法であって、
移動通信ネットワークに接続するための第１の加入者情報を用いて、１つ以上のパケット通信ネットワークのいずれかと第１の通信路を確立しているときに、
前記通信端末は、
第２の加入者情報を用いて、前記第２の加入者情報の認証を要求する再認証フラグを含み、前記１つ以上のパケット通信ネットワークのいずれかと第２の通信路を設定するための接続要求と、前記第２の加入者情報と、を前記制御装置に送信し、
前記制御装置は、
前記接続要求と、前記第２の加入者情報と、を前記通信端末から受信し、
前記接続要求に再認証フラグが含まれている場合、前記第２の加入者情報の認証を行い、
前記第２の加入者情報を用いて、前記通信端末と第２の通信路に対応するパケット通信ネットワークとの通信路を確立する、
通信制御方法。
【請求項１０】
移動通信ネットワークに接続するための第１の加入者情報を用いて、１つ以上のパケット通信ネットワークのいずれかのパケット通信ネットワークと第１の通信路を確立しているときに、
第２の加入者情報を取得するステップと、
前記第２の加入者情報を用いて、パケット通信ネットワークとの第２の通信路の確立を要求する場合、前記第２の加入者情報の認証を要求する再認証フラグを含む通信路を設定するための接続要求と、前記第２の加入者情報と、を制御装置に送信するステップと、
前記制御装置から接続完了を受信することにより、前記第２の加入者情報を用いた前記第２の通信路を確立するステップと、
を通信端末に実行させる通信プログラム。
【発明の詳細な説明】
【技術分野】
【０００１】
本発明は通信システム、通信端末、制御装置、通信制御方法および通信プログラムに関する。
【背景技術】
【０００２】
現在、複数の事業者が、ＬＴＥ（Long Term Evolution）などの様々な移動体通信サービスを提供している。ＬＴＥは、高速及び大容量の無線通信を実現するために用いられる無線通信方式である。上記事業者は、移動体通信サービスの提供を受けるユーザに対して、サービス内容に応じた契約を行い、当該契約によるサービスの提供先を識別可能な加入者情報が記憶された加入者識別（ＳＩＭ：Subscriber Identity ModuleまたはＵＩＭ：User Identity Module）カードを当該ユーザに提供する。ＳＩＭカードには、当該ユーザが契約した通信事業者の接続情報や契約情報が電子的に保存されている。当該ＳＩＭカードを装着した通信端末は、ＳＩＭカードに記憶された加入者情報を用いることで移動体通信ネットワークに接続可能となる。そのため、移動体通信サービスのユーザは、利用する移動体通信サービスに応じたＳＩＭカードを通信端末に装着して、当該移動体通信サービスの提供を受ける。
【０００３】
ここで、ＬＴＥによる通信システムは、パケットによる通信を行うシステムとなっており、ＬＴＥによる通信システムでは、パケット通信ネットワーク(ＰＤＮ:Packet Domain Network)が多重化されている。パケット通信ネットワークは、ＡＰＮ(Access Point Name)という識別子により識別され、ＬＴＥ対応の通信端末は、複数の分離されたパケット通信ネットワーク(ＰＤＮ)に同時接続することが可能となっている。
【０００４】
複数の分離されたパケット通信ネットワーク(ＰＤＮ)として、例えば、Ｉｎｔｅｎｅｔ網やＩＭＳネットワークが存在する。ＩＭＳ(IP Multimedia Subsystem)ネットワークは、音声通話データやＳＭＳ（short message service）を扱うネットワークである。音声通話データは秘匿性が求められること、および３Ｇにおける回線交換型の通話網との共存を目的として、インターネット用のネットワークとは分離した形として、移動体通信事業者がネットワークを構築している。
【０００５】
スマートフォンなどのデータ通信および音声通話の両機能に対応する通信端末は、Ｉｎｔｅｒｎｅｔ網用のＡＰＮ(Internet-APN)とＩＭＳネットワーク用のＡＰＮ(IMS-APN)とを用いて同時に２つのＰＤＮに接続することにより通信および音声通話の分離を実現する。
【０００６】
このように、ＬＴＥに対応する通信端末は、複数のパケット通信ネットワーク（ＰＤＮ）に対して、同時に個別のセッションを確立する手法（Ｍｕｌｔｉ  ＰＤＮ  Ｃｏｎｎｅｃｔｉｏｎ）を用いて、複数のパケット通信ネットワークと複数の通信路を確立する。例えば、特許文献１には、外部ＮＷ（Network）として、インターネットやＩＭＳ（IP Multimedia Subsystem）等のパケットデータの通信を行う通信ネットワーク（ＰＤＮ）が開示されており、通信端末は、コアネットワークおよび無線ＬＡＮ通信網と接続された当該ネットワークと通信路を確立することが開示されている。
【０００７】
また、ＰＤＮに接続する際には、ＡＰＮを用いて、接続したいＰＤＮを特定し、ＩＤ（Identifier）やパスワードを用いてＰＤＮ側の通信ゲートウェイによる接続認証を経て通信を行う。また、これら複数のＰＤＮとの通信路は、ＬＴＥの無線通信上では、ベアラ（Ｂｅａｒｅｒ）と呼ばれる論理的な伝送経路に分けて通信を分離しており、それぞれのＰＤＮ接続は個別に通信路（ベアラ）の管理が行われる。
【先行技術文献】
【特許文献】
【０００８】
【特許文献１】特開２０１６−１７４３３９号公報
【発明の概要】
【発明が解決しようとする課題】
【０００９】
ここで、ＬＴＥに対応する通信端末が、パケット通信ネットワーク（ＰＤＮ）との通信路を確立する際、加入者識別（ＳＩＭ）カードに記憶された加入者情報を用いる。通信端末が複数のＰＤＮとの通信路を確立する場合、まず、基礎となるＰＤＮ（デフォルトＰＤＮまたはＤｅｆａｕｌｔ  ＰＤＮ）との通信路を確立し、その後、デフォルトＰＤＮとは異なるＰＤＮとの通信路の確立を行う。
【００１０】
通常、１台の通信端末に対して、１つのＳＩＭカードが装着されることから、特許文献１のように、デフォルトＰＤＮを含む複数のＰＤＮと複数の通信路を確立する際、当該ＳＩＭカードに記憶された加入者情報が用いられる。言い替えると、複数の通信路を確立する際に使用される加入者情報は、デフォルトＰＤＮとの通信路確立に用いられた加入者情報のみとなってしまう。
【００１１】
そのため、デフォルトＰＤＮとは異なるＰＤＮとの通信路確立において、デフォルトＰＤＮとの通信路確立に用いられた加入者情報とは異なる加入者情報を用いることが出来ない。すなわち、複数の加入者情報を用いて、１つ以上のＰＤＮとの複数の通信路の確立を行うことは出来ない。そのため、複数の加入者情報を用いて、１つ以上のＰＤＮとの複数の通信路の管理が出来ないという問題が生じる。
【００１２】
本発明はこのような問題を解決するためになされたものであり、複数の加入者情報を用いて、パケット通信ネットワークとの複数の通信路の管理を行うことが可能な通信システム、通信端末、制御装置、通信制御方法および通信プログラムを提供することを目的とする。
【課題を解決するための手段】
【００１３】
本発明にかかる通信システムは、通信端末と、制御装置と、を備える通信システムであって、移動通信ネットワークに接続するための第１の加入者情報を用いて、１つ以上のパケット通信ネットワークのいずれかと第１の通信路を確立しているときに、前記通信端末は、第２の加入者情報を取得する取得部と、前記第２の加入者情報を用いて前記１つ以上のパケット通信ネットワークのいずれかと第２の通信路の確立を要求する場合、前記第２の加入者情報の認証を要求する再認証フラグを含む通信路を設定するための接続要求と、前記第２の加入者情報と、を前記制御装置に送信する第１の通信部と、前記制御装置から通信路確立が完了したことを示す接続完了を受信し、前記第２の加入者情報を用いた前記第２の通信路を確立する通信制御部と、を備え、前記制御装置は、前記接続要求と、前記第２の加入者情報と、を前記通信端末から受信する第２の通信部と、前記接続要求に再認証フラグが含まれているかを判定する判定部と、前記再認証フラグが含まれている場合、前記第２の加入者情報の認証を行い、前記第２の加入者情報を用いて前記第２の通信路に対応するパケット通信ネットワークとの通信路を確立し、前記接続完了を前記通信端末に送信する通信確立部と、を備えるものである。
【００１４】
本発明にかかる通信端末は、移動通信ネットワークに接続するための第１の加入者情報を用いて、１つ以上のパケット通信ネットワークのいずれかと第１の通信路を確立しているときに、第２の加入者情報を取得する取得部と、前記第２の加入者情報を用いて前記１つ以上のパケット通信ネットワークのいずれかパケット通信ネットワークとの第２の通信路の確立を要求する場合、前記第２の加入者情報の認証を要求する再認証フラグを含む通信路を設定するための接続要求と、前記第２の加入者情報と、を制御装置に送信する通信部と、前記制御装置から接続完了を受信することにより、前記第２の加入者情報を用いた前記第２の通信路を確立する通信制御部と、を備えるものである。
【００１５】
本発明にかかる制御装置は、移動通信ネットワークに接続するための第１の加入者情報を用いて１つ以上のパケット通信ネットワークのいずれかのパケット通信ネットワークと第１の通信路を確立しているときに、前記１つ以上のパケット通信ネットワークのいずれかのパケット通信ネットワークと第２の通信路の確立を要求する接続要求と、第２の加入者情報と、を通信端末から受信する通信部と、前記接続要求に再認証フラグが含まれているかを判定する判定部と、前記再認証フラグが含まれている場合、前記第２の加入者情報の認証を行い、前記第２の加入者情報を用いて前記第２の通信路に対応するパケット通信ネットワークとの通信路を確立する通信確立部と、を備えるものである。
【００１６】
本発明にかかる通信制御方法は、通信端末と、制御装置と、を備える通信システムにおける通信制御方法であって、移動通信ネットワークに接続するための第１の加入者情報を用いて、１つ以上のパケット通信ネットワークのいずれかと第１の通信路を確立しているときに、前記通信端末は、第２の加入者情報を用いて、前記第２の加入者情報の認証を要求する再認証フラグを含み、前記１つ以上のパケット通信ネットワークのいずれかと第２の通信路を設定するための接続要求と、前記第２の加入者情報と、を前記制御装置に送信し、前記制御装置は、前記接続要求と、前記第２の加入者情報と、を前記通信端末から受信し、前記接続要求に再認証フラグが含まれている場合、前記第２の加入者情報の認証を行い、前記第２の加入者情報を用いて、前記通信端末と第２の通信路に対応するパケット通信ネットワークとの通信路を確立する。
【００１７】
本発明にかかる通信プログラムは、移動通信ネットワークに接続するための第１の加入者情報を用いて、１つ以上のパケット通信ネットワークのいずれかのパケット通信ネットワークと第１の通信路を確立しているときに、第２の加入者情報を取得するステップと、前記第２の加入者情報を用いて、パケット通信ネットワークとの第２の通信路の確立を要求する場合、前記第２の加入者情報の認証を要求する再認証フラグを含む通信路を設定するための接続要求と、前記第２の加入者情報と、を制御装置に送信するステップと、前記制御装置から接続完了を受信することにより、前記第２の加入者情報を用いた前記第２の通信路を確立するステップと、を通信端末に実行させるものである。
【発明の効果】
【００１８】
本発明によれば、複数の加入者情報を用いて、パケット通信ネットワークとの複数の通信路の管理を行うことが可能となる。
【図面の簡単な説明】
【００１９】
【図１】実施の形態１にかかる通信システムの構成例を示す図である。
【図２】実施の形態２にかかる通信システムの構成例を示す図である。
【図３】ＵＥとデフォルトＰＤＮとの通信路を確立する手順を示すシーケンス図である。
【図４】ＵＥとＩＭＳネットワークとの間で通信路を確立する手順を示すシーケンス図である。
【図５】実施の形態２にかかる通信システムの構成例を示す図である。
【図６】実施の形態２にかかる通信システムの構成例を示す図である。
【図７】実施の形態２にかかる通信システムにおける動作例を示すシーケンス図である。
【図８】実施の形態３にかかるＵＥ５０の構成例を示す構成図である。
【図９】実施の形態３にかかる通信システムの動作例を示すシーケンス図である。
【発明を実施するための形態】
【００２０】
（実施の形態１）
以下、図面を参照して本発明の実施の形態について説明する。各図面においては、同一要素には同一の符号が付されており、必要に応じて重複説明は省略される。
はじめに、図１を用いて実施の形態１にかかる通信システム１の構成例について説明する。図１は、実施の形態１にかかる通信システム１の構成例を示す図である。図１に示すように、通信システム１は、通信端末１０、基地局２０、制御装置３０、第１のパケット通信ネットワーク（ＰＤＮ）４０および第２のパケット通信ネットワーク（ＰＤＮ）４１を備える。
【００２１】
通信端末１０は、携帯電話端末、スマートフォン端末、タブレット型端末、モバイルルータ、パーソナルコンピュータ装置等であってもよい。基地局２０は、通信端末１０と通信を行い、制御装置３０と通信を行う。制御装置３０は、例えば、３ＧＰＰにおいて規定されているＭＭＥであってもよい。制御装置３０は、基地局２０を介して通信端末１０と通信を行い、通信端末１０と第１のＰＤＮ４０および第２のＰＤＮ４１との通信路を確立する。
【００２２】
第１のＰＤＮ４０および第２のＰＤＮ４１は、例えば、インターネット網、ＩＭＳネットワーク等であってもよい。通信端末１０と、第１のＰＤＮ４０および第２のＰＤＮ４１との通信路は、通信端末１０の利用者が移動通信ネットワークに接続するための加入者情報を用いて行われる。加入者情報としては、例えば、ＩＣＣＩＤ(Integrated Circuit Card ID)、ＩＭＳＩ（International Mobile Subscriber Identity）、ＭＳＩＳＤＮ(Mobile Station International Subscriber Directory Number)であってもよい。
【００２３】
ＩＣＣＩＤは、ＳＩＭカード自身に振られた固有の識別番号であり、１９桁の数値からなる。ＩＭＳＩは移動体通信サービスの提供を受ける利用者を一意に特定するための識別番号であり、１５桁から構成される。ＩＭＳＩは、利用国を示す３桁のＭＣＣ(Mobile Country Code)、移動体通信事業者を示す２桁のＭＮＣ(Mobile Network Code)、加入者を識別する１０桁のＭＳＩＮ(Mobile Station Identification Number)で構成される。また、ＭＳＩＳＤＮは、携帯電話用の識別番号として一意に決められた１５桁の数値で、ＭＳＩＳＤＮには一般的にＩＴＵ−Ｔ勧告で定められた国際公衆通信番号計画に基づいた識別番号が付与されており、一般的に国際電話番号として用いられる。
【００２４】
ここで、図１に通信システム１において、通信端末１０と第１のＰＤＮ４０との通信路は、通信端末１０の第１の加入者情報を用いて既に確立済みであるとする。言い替えると、第１の加入者情報は既に認証済みであるとする。なお、図１には、第１のＰＤＮ４０および第２のＰＤＮ４１の２つが記載されているが、ＰＤＮが３つ以上備わっていてもよい。
【００２５】
続いて、通信端末１０の構成例について説明する。通信端末１０は、取得部１１と、通信部１２と、通信制御部１３と、を備える。
取得部１１は、第２のＰＤＮ４１との通信路の確立を行う際に用いる第２の加入者情報を取得する。なお、上述したように、通信端末１０の第１の加入者情報を用いて既に確立済みであることから、取得部１１は、第１の加入者情報も取得する。また、取得部１１は、２つ以上の加入者情報を取得してもよい。
【００２６】
通信部１２は、第２の加入者情報を用いて、通信端末１０と第２のＰＤＮ４１との通信路の確立するための確立要求信号である接続要求と、第２の加入者情報と、を制御装置３０に送信する。通信部１２は、第２の加入者情報を用いて、第２のＰＤＮ４１との通信路を確立する場合、再認証フラグを接続要求に含めて制御装置３０に送信する。再認証フラグは、通信路を確立する際に用いる加入者情報の認証を要求するためのフラグである。
【００２７】
ここで、通信端末１０は、第１の加入者情報を用いて、第１のＰＤＮ４０との通信路を確立済みである。制御装置３０は、通信端末１０と第１のＰＤＮ４０との通信路を確立する際、第１の加入者情報の認証を行い、通信端末１０と第１のＰＤＮ４０との通信路を確立している。そのため、第１の加入者情報は、既に認証されている状態である。一方、第２の加入者情報は認証が行われていない可能性があることから、通信部１２は、第２の加入者情報の認証を行い、第２のＰＤＮ４１との通信路を確立することを要求する再認証フラグを接続要求に設定して（含めて）制御装置３０に送信する。
【００２８】
通信制御部１３は、制御装置３０が第２の加入者情報を用いて、第２のＰＤＮ４１との通信路の確立が完了したことを示す接続完了を受信することにより、第２のＰＤＮ４１との通信路を確立する。
【００２９】
制御装置３０は、通信部３１と、判定部３２と、通信確立部３３と、を備える。
通信部３１は、通信端末１０の通信部１２から送信されるデータを受信する。具体的には、通信部３１は、接続要求と、第２の加入者情報と、を通信部１２から受信する。
判定部３２は、通信部３１が受信した接続要求に再認証フラグが含まれているかを判定する。
通信確立部３３は、判定部３２が接続要求に再認証フラグが含まれていると判定すると、第２の加入者情報の認証を行い、第２の加入者情報を用いて、第２のＰＤＮ４１との通信路の確立を行い、通信路の確立が完了したことを通知する接続完了を通信端末１０に送信することにより通信端末１０と第２のＰＤＮ４１との通信路が確立される。
【００３０】
以上説明したように、通信端末１０は、第１の加入者情報と異なる第２の加入者情報を用いて、第２のＰＤＮ４１との通信路を確立する場合、接続要求に再認証フラグを含めて送信する。制御装置３０は、接続要求に再認証フラグが含まれているかを判定することにより、第１の加入者情報と異なる第２の加入者情報による通信路確立要求がされていることを認識することができる。そして、通信端末１０および制御装置３０は、第２の加入者情報を用いて、第２のＰＤＮ４１との通信路を確立することができる。その結果、複数のＰＤＮとの通信路を、それぞれ異なる加入者情報を用いて確立することができる。したがって、通信端末１０と、複数の加入者情報を用いて、複数のパケット通信ネットワークとの複数の通信路の管理を行うことが可能となる。
【００３１】
なお、実施の形態１では、第１のＰＤＮ４０と第２のＰＤＮ４１とは別々のＰＤＮとして記載をしているが、第１のＰＤＮ４０と第２のＰＤＮ４１とは同一であってもよい。すなわち、第１の加入者情報と異なる第２の加入者情報を用いて、同一のＰＤＮである第１のＰＤＮ４０または第２のＰＤＮ４１と通信端末１０との通信路が確立されてもよい。
【００３２】
（実施の形態２）
続いて、実施の形態２について説明するが、実施の形態２の詳細を説明する前に、課題事項の詳細を説明しながら、課題事項を再度整理する。まず、実施の形態２および課題事項にかかる通信システムの構成例を説明する。図２は、通信システム１００の構成例を示す図である。図２に示す通信システム１００は、無線通信方式としてＬＴＥをサポートする通信システムである。
【００３３】
図２に示すように、通信システム１００は、ＵＥ（User Equipment）５０、ｅＮｏｄｅＢ（evolved NodeB）５１およびＬＴＥコアネットワーク１０１を備えている。ＬＴＥコアネットワーク１０１は、ＥＰＣネットワーク１０２、ＩＭＳネットワーク１０３、Ｉｎｔｅｒｎｅｔ網１０４、他ＩＰ網１０５、ＨＳＳ（Home Subscriber Server）５５、既存電話網６１および他ＩＭＳ網６２を備えている。ＥＰＣネットワーク１０２は、ＭＭＥ（Mobility Management Entity）５２、ＳＧＷ（Serving Gateway）５３およびＰＧＷ（PDN (Packet Data Network) Gateway）５４を備える。ＩＭＳネットワーク１０３は、ＡＳ（Application Server）５６、Ｓ−ＣＳＣＦ（Serving Call/Session Control Function）５７、ＭＧＣＦ（Media Gateway Controller Function）５８、Ｐ−ＣＳＣＦ（Proxy Call/Session Control Function）５９、Ｉ−ＣＳＣＦ（Interrogating Call/Session Control Function）６０を備えている。
【００３４】
ＵＥ５０は、図１における通信端末１０に相当する。ＵＥは、３ＧＰＰにおいて通信端末の総称として用いられる用語であり、ＵＥはＭＳ（Mobile Station）と置き換えられてもよい。ｅＮｏｄｅＢ５１は、図１における基地局２０に相当し、３ＧＰＰにおいて規定されている無線基地局である。ＬＴＥ対応の基地局は、ｅＮｏｄｅＢまたはｅＮＢと称される。
【００３５】
ＬＴＥコアネットワーク１０１は、ＬＴＥ通信ネットワークのうち、ｅＮｏｄｅＢ５１よりも上位装置を含むネットワークである。ＥＰＣネットワーク１０２は、後述するＭＭＥ５２、ＳＧＷ５３およびＰＧＷ５４により構成されているネットワークである。ＩＭＳネットワーク１０３は、音声通話およびＳＭＳデータを扱うネットワークである。Ｉｎｔｅｒｎｅｔ網１０４は、ネットワーク同士をさらにネットワークで結ぶネットワークである。他ＩＰ網１０５は、ＬＴＥコアネットワーク１０１を提供する通信事業者とは異なる他の通信事業者が提供するＩＰネットワークである。
【００３６】
ＩＭＳネットワーク（網）１０３、Ｉｎｔｅｒｎｅｔ網１０４および他ＩＰ網１０５は、それぞれパケット通信ネットワーク（ＰＤＮ）と呼ばれる。ＩＭＳネットワーク１０３、Ｉｎｔｅｒｎｅｔ網１０４および他ＩＰ網１０５のうちいずれかは、図１における第１のＰＤＮ４０に対応し、その他のネットワークは第２のＰＤＮ４１に対応する。本実施の形態を含めて以降の説明では、説明をする上で便宜的にＩｎｔｅｒｎｅｔ網１０４が、図１における第１のＰＤＮ４０に相当するものとし、ＩＭＳネットワーク１０３が、図１における２１に相当するものとして説明を行う。
【００３７】
ＭＭＥ５２は、図１における制御装置３０に相当する。ＭＭＥ５２は、ＵＥ５０、ｅＮｏｄｅＢ５１、Ｓ−ＧＷ５３、Ｐ−ＧＷ５４、およびＨＳＳ５５と通信を行い、制御信号を処理する制御装置である。また、ＭＭＥ５２は、ＵＥ５０に関するモビリティ管理およびセッション管理等を実行するノードである。
【００３８】
ＳＧＷ５３およびＰＧＷ５４は、ＵＥ５０と、ＩＭＳネットワーク１０３、Ｉｎｔｅｒｎｅｔ網１０４および他ＩＰ網１０５との間において伝送されるデータを中継するゲートウェイ装置である。ＨＳＳ５５は、ＵＥ５０に関する加入者情報を管理するノード、すなわち、加入者情報管理装置である。
【００３９】
ＡＳ５６は、ＩＭＳネットワーク１０３におけるサービス提供用サーバである。Ｓ−ＣＳＣＦ５７は、ユーザ認証およびセッション管理用ＳＩＰサーバと呼ばれ、端末のセッション制御、およびユーザ認証を行うＳＩＰサーバである。ＭＧＣＦ５８は、既存電話網６１に接続し、既存電話網接続ゲートウェイと呼ばれ、ＳＩＰとＩＳＵＰ(ISDN (Integrated Services Digital Network) User Part)間の呼制御プロトコルの変換を行う。Ｐ−ＣＳＣＦ５９は、ＥＰＣ−ＩＭＳ網接続用ゲートウェイＳＩＰサーバと呼ばれ、ＥＰＣネットワーク１０２との接続点に配置されるＳＩＰ中継サーバである。Ｉ−ＣＳＣＦ６０は、別網接続用ゲートウェイＳＩＰサーバと呼ばれ、相互接続・ローミングの際、他網から接続する最初の関門ＳＩＰサーバであり、Ｓ−ＣＳＣＦの特定と信号を中継する。
【００４０】
次に、図３および図４を用いて、特許文献１に開示されている様な関連する技術にかかる、ＵＥ５０と、Ｉｎｔｅｒｎｅｔ網１０４およびＩＭＳネットワーク１０３との通信路確立手順について説明する。
まず、図３を用いて、ＵＥ５０に装着されているＳＩＭカードに記憶された加入者情報を用いて、第１のＰＤＮ（デフォルトＰＤＮ）との通信路確立手順を説明する。図３は、ＵＥ５０とデフォルトＰＤＮとの通信路確立手順を示すシーケンス図である。本実施の形態では、Ｉｎｔｅｒｎｅｔ網１０４を第１のＰＤＮ（デフォルトＰＤＮ）とすることから、図３は、ＵＥ５０とＩｎｔｅｒｎｅｔ網１０４との通信路確立手順を示すシーケンス図である。
【００４１】
まず、ＵＥ５０が通信を始める際には、始めにｅＮｏｄｅＢ５１に対して端末登録（Ａｔａｃｃｈ）を行う。端末登録の際には、ＵＥ５０はｅＮｏｄｅＢ５１との間でＲＲＣ(Radio Resource Control)接続を確立する必要がある。ＲＲＣ接続はＬＴＥ端末（ＵＥ５０）が、ｅＮｏｄｅＢ５１と通信するための基本的な通信レイヤである。具体的には、ＵＥ５０は、ｅＮｏｄｅＢ５１との間でＡｔｔａｃｈ要求手順を行う（ステップＳ１）。そして、ＵＥ５０は、ｅＮｏｄｅＢ５１に対して、ＲＲＣ接続処理開始信号を送信し（ステップＳ２）、ｅＮｏｄｅＢ５１は、ＭＭＥ５２に対して、アタッチ要求を送信する（ステップＳ３）。
【００４２】
次に、ＵＥ５０は、ＲＲＣレイヤによりｅＮｏｄｅＢ５１を介して、ＭＭＥ５２とＮＡＳ（Non Access Stratum）メッセージのやり取りを行う。具体的には、ＵＥ５０は、ｅＮｏｄｅＢ５１を介して、ＭＭＥ５２との間で、ＮＡＳメッセージにより、加入者情報を含むＵＥ５０に関する端末情報の受け渡しを行う（ステップＳ４）。
【００４３】
次に、ＭＭＥ５２は、ＨＳＳ５５とＵＥ５０から受信したＩＭＳＩ等を含む加入者情報のやり取りを行い、ＵＥ５０の接続を認証する。具体的には、ＭＭＥ５２は、ＵＥ５０から受信した、ＩＭＳＩ等の加入者情報を含むＵＥ５０に関する端末情報を用いて、ＨＳＳ５５と端末情報の認証を行う（ステップＳ５）。その後、ＭＭＥ５２は、ＵＥ５０との間で、ＮＡＳ通信秘匿化を行い（ステップＳ６）、ＡＰＮ情報の受け渡しを行う（ステップＳ７）。そして、ＭＭＥ５２は、ＨＳＳ５５に対して、ＵＥ５０の位置登録を行う（ステップＳ８）。
【００４４】
次に、ＭＭＥ５２は、Ｉｎｔｅｒｎｅｔ網１０４（デフォルトＰＤＮ）との通信路の設定を行う。具体的には、ＭＭＥ５２は、セッション作成要求をＳＧＷ５３に送信する（Ｓｔｅｐ９）。次に、ＳＧＷ５３、ＰＧＷ５４およびＩｎｔｅｒｎｅｔ網１０４との間でセッションを作成する（Ｓｔｅｐ１０）。なお、図３では、Ｉｎｔｅｒｎｅｔ網１０４とＰＧＷ５４とでセッション作成が行われるものとして記載をするが、具体的には、ＰＧＷ５４は、Ｉｎｔｅｒｎｅｔ網１０４に接続されている図示しないＧＷ（Gateway）装置とのセッション作成が行われる。
【００４５】
そして、ＵＥ５０は、端末登録（Ａｔｔａｃｈ）の完了と共に、デフォルトＰＤＮとのパケット通信セッションが確立される。具体的には、ＳＧＷ５３は、Ｉｎｔｅｒｎｅｔ網１０４との通信路が確立されると、ＭＭＥ５２に対して、セッション作成完了を通知する（ステップＳ１１）。その後、ＭＭＥ５２は、ｅＮｏｄｅＢ５１に対して、アタッチ許可を送信する（ステップＳ１２）。そして、ｅＮｏｄｅＢ５１は、ＵＥ５０との間で、例えば、マルチクラスタ通信やキャリアアグリゲーション通信に対応可能か否かについての端末能力確認を行う（ステップＳ１３）。その後、ＮｏｄｅＢ５１は、ＵＥ５０との間で、ＲＲＣ通信秘匿化を行い（ステップＳ１４）、ＲＲＣ再接続処理を行う（ステップＳ１５）。そして、ＲＲＣ再接続処理が完了すると、ＵＥ５０は、ＭＭＥ５２に対して、アタッチ完了のメッセージを送信する（ステップＳ１６）。その後、ＵＥ５０とＩｎｔｅｒｎｅｔ網１０４との間でパケット通信が開始される。すなわち、ＵＥ５０と第１のＰＤＮ（デフォルトＰＤＮ）であるＩｎｔｅｒｎｅｔ網１０４との通信路が確立される。
【００４６】
次に、図４を用いて、ＵＥ５０が第２のＰＤＮとの間で通信路を確立する手順を説明する。なお、第２のＰＤＮは、ＩＭＳネットワーク１０３として説明をする。図４は、ＵＥ５０とＩＭＳネットワーク１０３との間で通信路を確立する手順を示すシーケンス図である。
【００４７】
図４は、図３の手順が完了した後に実行される手順である。そのため、図４のシーケンス図における最初の矢印部分に記載している通り、アタッチ済み状態となっている。すなわち、ＵＥ５０の加入者情報が認証されており、加入者情報を用いて、ＵＥ５０と第１のＰＤＮとの通信路が確立された状態である。
【００４８】
まず、ＵＥ５０は、ＮＡＳメッセージを用いて、ＩＭＳネットワーク１０３との通信路を確立する要求であるＰＤＮ接続要求（PDN Connectivity Request）をＭＭＥ５２に送信する（ステップＳ２１）。なお、ＰＤＮ接続要求は、実施の形態１における接続要求に相当する。ＭＭＥ５２は、ＰＤＮ接続要求に問題がないかを判定し、ＰＤＮ接続要求が問題ないと判定する場合、ＭＭＥ５２はアタッチ処理のときと同様にＳＧＷ５３およびＰＧＷ５４に対してセッションの作成を指示する（ステップＳ２２）。その後、ＳＧＷ５３、ＰＧＷ５４およびＩＭＳネットワーク１０３との間でセッション作成が行われ（ステップＳ２３）、ＳＧＷ５３がＭＭＥ５２に対してセッション作成完了を通知し（ステップＳ２４）、ＭＭＥ５２はｅＮｏｄｅＢ５１にＰＤＮ接続許可を送信する（ステップＳ２５）。ｅＮｏｄｅＢ５１は、ＵＥとの間でＲＲＣ再接続処理を行い（ステップＳ２６）、ＵＥ５０はＰＤＮ接続完了をＭＭＥ５２に送信することで（ステップＳ２７）、ＵＥ５０とＩＭＳネットワーク１０３との間でパケット通信が開始される。すなわち、最終的にＵＥ５０は所望のＰＤＮであるＩＭＳネットワーク１０３と通信可能になり、ＵＥ５０とＩＭＳネットワーク１０３との通信路が確立された状態となる。
【００４９】
図４に示す処理の中でＭＭＥ５２がＰＤＮ接続要求を受信する際、ＭＭＥ５２はアタッチ処理の一環で知り得たＵＥ５０の端末情報を保持しているため、改めて端末（加入者情報）の認証処理を行わない。そして、ＭＭＥ５２は、その加入者情報が指定のＰＤＮに接続可能かどうかを判定した上で、問題なければＰＤＮと通信セッションの作成を行う。
【００５０】
これらの接続シーケンスでは、ＵＥ５０がＰＤＮと通信経路を確立する際は、端末登録（Ａｔｔａｃｈ）時にやり取りした加入者情報と、接続したいＰＤＮのＡＰＮ情報の２つの情報からＰＤＮの接続認証処理がなされている。これは、ＰＤＮ側に通知する端末情報は、端末登録時に使用した加入者情報に他ならないことを意味する。つまり、ＬＴＥ通信により確立できる複数のＰＤＮ接続は、１つの加入者情報によって接続可否が判断されており、アタッチにより確立した通信セッションの中で他の加入者情報が介在することはできないという課題が生じる。
【００５１】
なお、１つのＵＥ５０に、例えば、２つのＳＩＭカードが装着されることも考えられる。しかし、通常、１つ目のＳＩＭカードは、３Ｇ通信用のＳＩＭカード、２つ目のＳＩＭカードは、ＬＴＥ通信用のＳＩＭカードのように無線通信方式が異なる場合である。または、２つのＳＩＭカードが共にＬＴＥ通信用であることも考え得るが、この場合、２つ目のＳＩＭカードを用いる場合は、１つ目のＳＩＭカードの通信を切断する必要がある。つまり、同じ無線通信方式に対応した２つのＳＩＭカードを用いて同時に複数の通信路を確立することはできない。すなわち、上述の課題事項が生じる。
【００５２】
ここで、近年、モバイルルータは可搬型の通信端末として、現在広く普及されている通信端末である。モバイルルータ（無線通信中継装置）は、ＬＴＥなどの移動体無線通信網などを通してインターネット網に接続する機能を有し、これを上位通信回線として、無線ＬＡＮアクセスポイント機能をインタフェースとした可搬型のインターネットゲートウェイ装置である。モバイルルータは、本来、移動体無線通信機能を有さない情報処理端末（通信端末）に対して、場所を選ばずネットワークと通信する手段を提供することが本来の趣旨であった。しかし、近年はスマートフォン、携帯電話などの移動体無線通信機能を有した通信端末も無線ＬＡＮ等、ＷＡＮ（Wide Area Network）接続用インタフェースとは別の無線インタフェースを通してインターネットに接続できるようになっている。そのため、モバイルルータの目的はむしろ、携帯電話等のデータ通信も含む複数台の情報処理端末の通信を１台の移動体無線通信端末に集約できるという側面が濃くなってきている。また、基地局運営側の利点としては、収容数の削減、通話用の無線通信リソースとデータ通信用リソースの分離による通話用帯域消費の抑制が期待できる。
【００５３】
携帯電話等のデータ通信も含む複数台の情報処理端末の通信を１台の移動体無線通信端末に集約しようとする場合、複数の加入者情報を用いて、複数のＰＤＮとの複数の通信路を管理したい。しかし、上述したように、ＵＥ５０が複数のＰＤＮとの通信路を確立する際、複数の加入者情報を介在させることができない。そこで、本実施の形態では、このように、例えば、複数台の通信端末の通信を１台のモバイルルータに集約しようとする場合における上記課題事項を解決することを目的とする。
【００５４】
それでは、実施の形態２について説明を行う。実施の形態２にかかる通信システム１００の構成例を説明する。図５は、本実施の形態にかかる通信システム１００の構成例の概要を示す構成図である。本実施の形態にかかる通信システム１００のネットワーク側の構成例については、図２を用いて説明した通りである。図５は、本実施の形態にかかる通信システム１００の通信端末（ＵＥ）側の構成を具体化した構成図である。そのため、図５に示す通信システム１００は、ネットワーク側の構成が省略された記載となっている。
【００５５】
図５に示すように、本実施の形態にかかる通信システム１００は、複数のＵＥ７０＿１、７０＿２、５０、ｅＮｏｄｅＢ５１、ＥＰＣネットワーク１０２、ＩＭＳネットワーク１０３、Ｉｎｔｅｒｎｅｔ網１０４および他ＩＰ網１０５を備える。
【００５６】
ＵＥ５０、ＵＥ７０＿１および７０＿２は、携帯電話端末、スマートフォン端末、タブレット型端末、モバイルルータ、パーソナルコンピュータ装置、モバイルルータ（通信中継装置）等であってもよい。ＵＥ５０は、図１の通信端末１０に相当する。本実施の形態では、ＵＥ５０は、モバイルルータ（無線通信中継装置）として記載をする。また、本実施の形態では、ＵＥ５０はＬＴＥ対応のモバイルルータとして記載をする。しかしながら、ＵＥ５０は、モバイルルータに限られず、モバイルルータが具備する通信回線は、例えばＬＴＥアドバンス、５Ｇなどの将来的な無線通信方式に対応した通信回線通信機器であってもよい。
【００５７】
ＵＥ７０＿１および７０＿２は、上記で挙げた通信端末であればよいが、本実施の形態では、ＵＥ７０＿１および７０＿２は、無線ＬＡＮおよびＬＴＥ通信に対応した通信端末として記載をする。なお、ＵＥ７０＿１およびＵＥ７０＿２は、ＵＥ５０と事前に無線ＬＡＮ接続を可能とするための設定がされているものとする。また、ＵＥ７０＿１およびＵＥ７０＿２は、既にＵＥ５０に接続されており、ＵＥ５０に帰属した状態となっているものとする。
ｅＮｏｄｅＢ５１、ＥＰＣネットワーク１０２、ＩＭＳネットワーク１０３、Ｉｎｔｅｒｎｅｔ網１０４および他ＩＰ網１０５については、図２と同様の構成であることから記載を省略する。
【００５８】
次に、図６を用いて、通信システム１００における各装置の構成例について説明する。図６は、本実施の形態にかかる通信システム１００の構成例を示す構成図である。図６に示すように、通信システム１００は、ＵＥ７０、ＵＥ５０、ｅＮｏｄｅＢ５１、ＭＭＥ５２、ＳＧＷ５３、ＰＧＷ５４、ＨＳＳ５５、Ｉｎｔｅｒｎｅｔ網１０４およびＩＭＳネットワーク１０３を備える。なお、上記で説明をした内容と重複する内容については適宜記載を省略して説明を行う。
【００５９】
図２では、通信システム１００は、ｅＮｏｄｅＢ５１を複数備える構成としているが、説明をする上で、便宜的に１台のｅＮｏｄｅＢとして説明を行う。また、図２では、通信システム１００は、ＬＴＥコアネットワーク１０１は、複数の装置（ノード）を備えるように記載をしたが、本実施の形態に関連する装置（ノード）のみを記載している。さらに、図２および図５では、ＰＤＮを３つ備える構成として記載をしていたが、説明をする上で、便宜的に２つのＰＤＮとして記載をしている。具体的には、Ｉｎｔｅｒｎｅｔ網１０４およびＩＭＳネットワーク１０３を備える構成として記載をしている。なお、説明をする上で、Ｉｎｔｅｒｎｅｔ網１０４を図１における第１のＰＤＮ、つまりデフォルトＰＤＮとし、ＩＭＳネットワーク１０３を図１における第２のＰＤＮとする。またさらに、図５では、複数のＵＥ７０（ＵＥ７０＿１およびＵＥ７０＿２）を記載したが、説明をする上で、便宜的に図５では１台として説明をする。しかしながら、この構成に限られず、ＵＥ、ｅＮｏｄｅＢなど各装置が複数台備わっても当然よい。
【００６０】
次に、ＵＥ５０の構成例について説明を行う。ＵＥ５０は、通信部１２、制御部５０２、通信部１４、装着部１５、アンテナＡＮＴ１およびアンテナＡＮＴ２を備える。
通信部１２は、実施の形態１における通信部１２に相当する。通信部１２は、ＬＴＥ通信インタフェースであり、通信部１２は、信号の変復調処理を行い、アンテナＡＮＴ１を介して、ｅＮｏｄｅＢ５１と無線通信を行う。また、通信部１２は、ｅＮｏｄｅＢ５１を介して、ＭＭＥ５２などのＬＴＥコアネットワーク１０１との通信を行う。実施の形態１では、通信部１２は、接続要求の際に、第２の加入者情報を送信する形態として記載をしたが、本実施の形態では、通信部１２は、ＭＭＥ５２に対して、接続要求を送信する。そして、通信部１２は、ＭＭＥ５２から加入者情報の要求信号である加入者情報要求を受信し、加入者情報要求に応答する際に、第２の加入者情報を送信する。つまり、加入者情報要求の応答信号である加入者情報送信において、第２の加入者情報を送信する。
【００６１】
制御部５０２は、第１のＰＤＮおよび第２のＰＤＮとの通信路を確立する制御を行う。制御部５０２は、装置内のパケット通信の通信路を提供し、制御部５０２は、通信部１２および通信部１４から送受信される通信パケットの内容を判断し、パケットの宛先を適切に判断して別ネットワークへのパケット中継を行う制御を行う。また、制御部５０２は、後述する装着部１５に装着されたＳＩＭカードに記憶された加入者情報を取得し、ＬＴＥ通信インタフェース５０１がＬＴＥネットワークに接続する際に必要な認証処理や無線制御などの動作を行うための処理を行う。
【００６２】
通信部１４は、アンテナＡＮＴ２を介して、後述するＵＥ７０と通信を行うためのインタフェースである。上述したようにＵＥ７０は、本実施の形態では無線ＬＡＮ対応端末であるものとしているため、通信部１４は、ＩＥＥＥ８０２．１１で規定される無線通信規格に基づいて通信データの変調および復調を行う。また、通信部１４は、アンテナＡＮＴ２を通じて、ＵＥ７０のような他のＩＥＥＥ８０２．１１準拠の通信装置と電波の送受信を行うことで無線ＬＡＮ親機（ＡＰ：Access Point）として振る舞う通信部である。通信部１４は、ＵＥ７０から第２の加入者情報を用いて、パケット通信ネットワークとの通信路の確立を要求する接続要求を受信する。通信部１４は、ＭＭＥ５２からの加入者情報要求を、ＵＥ７０に送信し、加入者情報要求の応答信号である加入者情報送信を受信する。
【００６３】
制御部５０２は、取得部１１と、通信制御部１３と、を備える。取得部１１は、後述する装着部１５に装着されたＳＩＭカードに記憶されている第１の加入者情報を取得する。また、取得部１１は、後述するＵＥ７０から受信する加入者情報送信から、ＵＥ７０に装着されたＳＩＭカードに記憶される第２の加入者情報を取得する。
【００６４】
通信制御部１３は、取得部１１が取得した加入者情報を用いて、ＬＴＥ通信インタフェース５０１がＬＴＥネットワークに接続する際に必要な認証処理や無線制御などの動作を行うための処理を行う。通信制御部１３は、無線ＬＡＮインタフェース（ＡＰ）５０３とＬＴＥ通信インタフェース５０１から送信される通信パケットの内容を判断し、パケットの宛先を適切に判断して別ネットワークへのパケット中継を行う制御を行う。また、通信制御部１３は、ＵＥ５０とＩＭＳネットワーク１０３との通信路を確立し、ＵＥ７０に対して、ＰＤＮ接続完了を送信することにより、ＵＥ７０に、ＩＭＳネットワーク１０３との通信路を確立させる制御を行う。
【００６５】
装着部１５は、ＳＩＭ接続インタフェースの機能を有し、移動通信ネットワークに接続するための加入者識別（ＳＩＭ）カードを装着する機能を備える。装着部１５は、装着されたＳＩＭカードと通信を行う機能を備える。装着部１５により、ＳＩＭカードと通信を行い、後述する取得部１１が、ＳＩＭカードに記憶された加入者情報を取得する。本実施の形態では、装着部１５には、ＳＩＭカードが挿入されているものとして説明を行う。また、当該ＳＩＭカードに記憶された加入者情報を第１の加入者情報として説明する。なお、図６では装着部１５は１つのみが備わっているように記載されているが、装着部１５は複数であってもよい。すなわち、複数のＳＩＭカードを装着でき、当該ＳＩＭカードに記憶された加入者情報を読み込むことができてもよい。
【００６６】
次に、ＭＭＥ５２の構成例について説明を行う。ＭＭＥ５２は、通信部３１と、判定部３２と、通信確立部３３と、を備える。
通信部３１は、実施の形態１では、通信端末１０から接続要求を受信する際に、接続要求と、第２の加入者情報とを受信する構成であったが、本実施の形態では、ＵＥ５０からまず接続要求を受信する。そして、判定部３２が接続要求に再認証フラグが含まれているかを判定し、再認証フラグが含まれている場合、通信部３１は、ＵＥ５０に対して第２の加入者情報を要求する加入者情報要求を送信する。その後、ＵＥ５０から加入者情報送信を受信することで、第２の加入者情報を取得する。
判定部３２および通信確立部３３は、実施の形態１と同様の構成であるため説明を省略する。
【００６７】
続いて、ＵＥ７０の構成例について説明を行う。ＵＥ７０は、アンテナＡＮＴ３、装着部７１、通信部７２、制御部７０２、データ処理部７６および通話処理部７７を備える。
【００６８】
装着部７１は、移動通信ネットワークに接続するための加入者識別（ＳＩＭ）カードを装着し、装着されたＳＩＭカードと通信を行う機能を有し、後述する取得部７４が当該ＳＩＭカードに記憶された加入者情報を取得する。本実施の形態では、装着部７１には、ＳＩＭカードが挿入されているものとして説明を行う。また、当該ＳＩＭカードに記憶された加入者情報を第２の加入者情報として説明する。なお、図６では、装着部７１は１つのみが備わっているように記載されているが、装着部７１は複数であってもよい。すなわち、複数のＳＩＭカードを装着でき、当該ＳＩＭカードに記憶された加入者情報を読み込むことができてもよい。
【００６９】
通信部７２は、ＩＥＥＥ８０２．１１で規定される無線通信規格に基づいて通信データの変調および復調を行い、アンテナＡＮＴ３を通じて他ＩＥＥＥ８０２．１１準拠装置であるＵＥ５０の通信部１４と無線信号の送受信を行うことで無線ＬＡＮ子機（ＳＴＡ：Station）として振る舞う。つまり、通信部７２は、無線ＬＡＮインタフェース（ＳＴＡ）とも言える。
【００７０】
通信部７２は、後述する取得部７４で取得した第２の加入者情報と、第２の加入者情報を用いて、データ通信ネットワークの確立を要求する確立要求信号をＵＥ５０に送信する。通信部７２は、ＵＥ７０に装着された加入者情報の送信を要求する加入者情報要求信号をＵＥ５０から受信する。また、通信部７２は、ＵＥ５０との通信に必要な信号を送受信する。
【００７１】
制御部７０２は、装置内のパケット通信としての通信路を提供する。また、制御部７０２は、通信部７２が通信した通信パケットを、後述するデータ処理部７６と通話処理部７７との間の通信路を選択する。また、制御部７０２は、装着部７１に装着されたＳＩＭカードに記憶された加入者情報を取得する。また、制御部７０２は、取得した加入者情報を、他取得部または通信部７２を介して、ＵＥ５０に送信するための制御を行う。データ処理部７６は、通信したいデータパケットを処理する。通話処理部７７は、通話を行うための通話に関するデータパケットを処理する。
【００７２】
制御部７０２は、取得部７４と、通信制御部７５と、を備える。取得部７４は、装着部７１に装着されたＳＩＭカードに記憶されている第２の加入者情報を取得する。
通信制御部７５は、装置内のパケット通信としての通信路を提供する。また、通信制御部７５は、通信部７２が通信した通信パケットを、データ処理部７６と通話処理部７７との間の通信路を選択する。また、通信制御部７５は、取得部７４が取得した第２の加入者情報を、他取得部または通信部７２を介して、ＵＥ５０に送信するための制御を行う。
【００７３】
続いて、図７を用いて、本実施の形態にかかる通信システム１００における動作例について説明する。図７は、本実施の形態にかかる通信システム１００における動作例を示すシーケンス図である。具体的には、図７は、第２の加入者情報を用いて、ＵＥ５０およびＵＥ７０と、第２のＰＤＮである、ＩＭＳネットワーク１０３との通信路を確立する手順を示すシーケンス図である。
【００７４】
まず、前提として、ＵＥ７０は、通信部７２を用いて、ＵＥ５０が備えている通信部１４に帰属している。すなわち、図７に示すように、ＵＥ７０はＵＥ５０に無線ＬＡＮ帰属中の状態である。
また、ＵＥ５０は、取得部１１が、装着部１５に装着された加入者識別（ＳＩＭ）カードから第１の加入者情報を取得している。そして、ＵＥ５０は、第１の加入者情報を用いて、ＬＴＥコアネットワーク１０１に端末登録が既に行われており、インターネットに接続可能であり（つまり、Ｉｎｔｅｒｎｅｔ網１０４との通信路が確立済みである）、かつＬＴＥコアネットワーク１０１との制御用の通信が可能な状態であるとする。すなわち、図７に示すように、ＵＥ５０は、アタッチ済みの状態であり、デフォルトＰＤＮである、Ｉｎｔｅｒｎｅｔ網１０４と接続状態（通信路を確立済みの状態）である。なお、第１の加入者情報を用いた端末登録の手順については、図３に示す手順により行われることから、詳細な説明は省略する。すなわち、図７は、図３の手順を行った後のシーケンス図とも言える。
【００７５】
図７に戻り、第２の加入者情報を用いて、ＵＥ５０およびＵＥ７０と、第２のＰＤＮである、ＩＭＳネットワーク１０３との通信路を確立する手順を説明する。ＵＥ７０は、通話を行うために通話処理部７７とＩＭＳネットワーク１０３との間で通信路を確立する際、通信制御部７５が通話処理部７７からの通信路確立の要求を受信し、通信部７２に送信要求を行う。まず、通信部７２は、ＵＥ５０に対してＩＭＳ接続要求を送信する（ステップＳ３１）。ＵＥ５０は、通信部１４で、ＩＭＳ接続要求を受信する。そして、ＵＥ５０の通信制御部１３は、例えば、ＩＰｓｅｃ（Security Architecture for the Internet Protocol）などにより、ＵＥ７０との通信の秘匿化処理を行い、通信に使用する通信セッションを確立する（ステップＳ３２）。
【００７６】
次に、ＵＥ７０は、通信部７２からＰＤＮ接続要求を送信し、ＵＥ５０は、通信部１４でＰＤＮ接続要求を受信する（ステップＳ３３）。ＵＥ５０は、受信したＰＤＮ接続要求を通信制御部１３が中継し、通信部１２からｅＮｏｄｅＢ５１を介してＭＭＥ５２に送信する（ステップＳ３４）。この際、ＵＥ５０の通信部１２は、PDN Connectivity RequestというＮＡＳメッセージを用いて、ＭＭＥ５２にＰＤＮ接続要求のメッセージを送るが、当該ＮＡＳメッセージ内に再認証の必要性を示すフラグである再認証フラグを設定して（含めて）送信する。ＭＭＥ５２の通信部３１は、当該メッセージを受信する。なお、本実施の形態におけるＰＤＮ接続要求およびPDN Connectivity Requestは、実施の形態１における接続要求に相当する。また、ＵＥ５０からＭＭＥ５２へのＰＤＮ接続要求およびPDN Connectivity Requestは、第１の接続要求とも言え、ＵＥ７０からＵＥ５０へのＰＤＮ接続要求およびPDN Connectivity Requestは第２の接続要求とも言える。
【００７７】
ＭＭＥ５２は、PDN Connectivity Requestに再認証フラグが設定されているかを判定し、再認証が必要な場合にはＵＥ５０に対して加入者情報の要求を行う（ステップＳ３５）。具体的には、ＭＭＥ５２の判定部３２が、受信したPDN Connectivity Requestに再認証フラグが設定されているかを判定する。判定部３２が、PDN Connectivity Requestに再認証フラグが設定されていると判定すると、通信部３１から、加入者情報の要求信号である、加入者情報要求信号を送信する。
【００７８】
ＵＥ５０は、通信部１２で当該信号を受信し、通信制御部１３を介して、通信部１４からＵＥ７０に送信する（ステップＳ３６）。この際、通信部１４から送信される信号は、通信制御部１３が予め作成した通信セッションを通してＵＥ７０に送信される。
ＵＥ７０は、通信部７２で加入者情報要求信号を受信すると、取得部７４は、装着部７１に装着されたＳＩＭカードと通信を行い、当該ＳＩＭカードに記憶されている第２の加入者情報を取得する。そして、ＵＥ７０は、通信部７２から取得した第２の加入者情報を加入者情報送信信号として、ＵＥ５０に返送する（ステップＳ３７）。
【００７９】
ＵＥ５０は、ＵＥ７０から送信された第２の加入者情報を通信部１４で受信し、取得部１１が第２の加入者情報を加入者情報送信信号から取得する。そして、ＵＥ５０は、通信部１２から、取得した第２の加入者情報をＭＭＥ５２に送信する（ステップＳ３８）。
ＭＭＥ５２は、ＵＥ５０の通信部１２から送信された第２の加入者情報を通信部３１で受信し、通信確立部３３が、受信した第２の加入者情報を用いて、ＨＳＳ５５との間で認証を行い（ステップＳ３９）、問題なければ位置登録を行う（ステップＳ４０）。
【００８０】
その後、図５に示す通信路確立手順のうち、ステップＳ２２〜ステップＳ２７の手順を行い、通信確立部３３は、ＵＥ５０とＩＭＳネットワーク１０３（ＩＭＳ−ＰＤＮ）との間で通信セッションが確立する。その結果、ＵＥ５０は、ＵＥ７０に装着されたＳＩＭカードに記憶された第２の加入者情報を用いて、ＩＭＳネットワーク１０３とのＰＤＮ接続が完了する。
【００８１】
そして、ＵＥ５０の通信制御部１３は、ＩＭＳネットワーク１０３との通信路（セッション）確立を受けて、ＩＭＳネットワーク１０３の図示しないゲートウェイの識別情報と共に、ＰＤＮへの接続完了をＵＥ７０に通知し、ＵＥ７０とＩＭＳネットワーク１０３との通信路を確立させる制御を行う（ステップＳ４１）。具体的には、ＵＥ７０が、ＵＥ５０が通知したＩＰアドレスに対して秘匿化のため指定のトンネリング処理を行い、ＵＥ７０とＩＭＳネットワーク１０３との通信路が確立する。
【００８２】
実施の形態２にかかる通信システム１００によれば、上記で説明したシーケンスを実行することにより、ＵＥ５０は、ＵＥ７０に装着された加入者識別（ＳＩＭ）カードに記憶された第２の加入者情報を用いて、ＵＥ７０とＩＭＳネットワーク１０３との通信路を確立することができる。また、ＵＥ７０は、ＵＥ５０を介することにより、ＵＥ５０のＬＴＥ通信により、移動体通信事業者の定めた回線品質を維持した通信セッションを通じて、ＩＭＳネットワーク１０３と通信が可能になり、通話やＳＭＳなどのＩＭＳ機能の利用が可能になる。すなわち、１台のＬＴＥ端末（ＵＥ５０）が複数の加入者情報を用いて、それぞれ必要な認証情報が異なるＰＤＮへの通信経路を確立できるようになり、ＵＥ５０は、パケット通信ネットワークとの複数の通信路の管理を行うことが可能となる。
【００８３】
また、実施の形態２にかかるＵＥ５０は、上述したように、例えばモバイルルータである。そのため、例えば、ＵＥ５０およびＵＥ７０の利用者が、ＵＥ５０を用いてデータ通信を行い、自らのＬＴＥ通信で通話を行っていたスマートフォン等のＵＥ７０は、通話用の通信路もＵＥ５０側で行えるようになる。したがって、ＵＥ７０側が通話待ち受けに必要としていた消費電力の削減を図れるという効果も期待できる。
【００８４】
なお、図８では、既に確立済みのＩｎｔｅｒｎｅｔ網１０４と異なるＰＤＮであるＩＭＳネットワーク１０３と、ＵＥ５０およびＵＥ７０との通信路の確立手順について説明を行ったが、同一のＰＤＮに対して、ＵＥ７０に装着されたＳＩＭカードに記憶された第２の加入者情報を用いた通信路の確立手順であってもよい。すなわち、例えば、既に、ＩＭＳネットワーク１０３と、ＵＥ５０との通信路が確立されている場合に、ＵＥ７０の第２の加入者情報を用いてＩＭＳネットワーク１０３との通信路を確立する手順に上記手順が適用されてもよい。その結果、１台のＬＴＥ端末が複数の加入者情報を用いて、１つのＰＤＮに対して、それぞれ異なる認証情報を用いたＰＤＮ接続を確立できるようになる。したがって、実施の形態２にかかる通信システム１００によれば、例えばＶｏＬＴＥなどの音声通話を行った際にＰＤＮ接続の通信路（ベアラ）を分けられるようになり、それぞれの通話を個別に品質管理、契約管理ができるようになるという効果も期待できる。さらに、それぞれの通話を個別に品質管理、契約管理ができることから、データ通信よりも音声通信の通信路の優先度を上げる等の帯域管理だけでなく、音声通話同士の通信路の管理も行え、より一層効率的な管理が可能となる。
【００８５】
なお、本実施の形態では、ＵＥ５０とＵＥ７０との通信は、無線ＬＡＮによる通信として説明をしたが、当然ながらこれに限定されない。ＵＥ５０とＵＥ７０との通信は、ＩＰ通信が可能であればよく、例えば、Ｂｌｕｅｔｏｏｔｈ（登録商標）やＥｔｈｅｒｎｅｔ（登録商標）等であってもよい。また、図７において、ＵＥ７０は、ＬＴＥ通信を行うための通信インタフェースの記載がされていないが、この構成に限定することを意図している訳では無く、説明をするために便宜的に記載を省略している。したがって、ＵＥ７０は、ＬＴＥ通信を、ＵＥ５０を介さずに直接行える構成であってもよい。
【００８６】
（実施の形態３）
続いて、実施の形態３について説明する。実施の形態３では、ＵＥ５０が装着部１５を備え、ＵＥ７０が装着部７１を備える構成であったが、実施の形態４では、１つのＵＥが複数の装着部を備える構成とする。つまり、ＵＥ７０は存在しない構成である。なお、本実施の形態では、ＵＥの構成以外は実施の形態３と同様であることから、ＵＥの構成例のみ説明することとする。
【００８７】
次に、本実施の形態にかかるＵＥ５０の構成例について説明する。図８は、本実施の形態にかかるＵＥ５０の構成例を示す構成図である。まず、ＵＥ５０の構成例について、実施の形態３にかかるＵＥ５０との差分について説明する。実施の形態３にかかるＵＥ５０は、通信部１４を備えていたが、実施の形態４にかかるＵＥ５０は、通信部１４を有さない構成である。それに伴って、アンテナＡＮＴ２も有さない構成である。その代わりに、本実施の形態にかかるＵＥ５０は、データ処理部２２と、通話処理部２３と、を備える。また、実施の形態３では、ＵＥ５０は、装着部１５の１つを備える構成であったが、本実施の形態では、ＵＥ５０は、装着部（第１の装着部）１５と、装着部（第２の装着部）２１の２つ備える構成である。なお、図８では、ＵＥ５０は、装着部を２つ備える構成として記載をするが、３つ以上を備える構成であってもよい。
【００８８】
図８を参照しつつ、ＵＥ５０の構成例について説明する。ＵＥ５０は、第１の装着部１５、第２の装着部２１、通信部１２、制御部５０２、データ処理部２２および通話処理部２３を備える。
第１の装着部１５は、実施の形態２における装着部１５に相当し、ＳＩＭカードを装着する機能を有し、第１の装着部１５に装着されたＳＩＭカードと通信を行う。
第２の装着部２１は、ＳＩＭカードを装着する機能を有し、第２の装着部２１に装着されたＳＩＭカードと通信を行う。
【００８９】
通信部１２は、実施の形態２における通信部１２と同様の構成であるため、説明を省略する。
制御部５０２は、装置内のパケット通信としての通信路を提供する。また、制御部５０２は、ＬＴＥ通信インタフェース５０１が通信した通信パケットを、後述するデータ処理部２２と通話処理部２３との間の通信路を選択する。また、制御部５０２は、第１の装着部１５および第２の装着部２１に装着されたＳＩＭカードに記憶された加入者情報を取得し、通信部１２がＬＴＥコアネットワーク１０１に接続する際に必要な認証処理や無線制御などの動作を行うための処理を行う。また、制御部５０２は、取得した加入者情報を、他取得部または通信部１２およびｅＮｏｄｅＢ５１を介して、ＭＭＥ５２に送信するための制御を行う。データ処理部２２は、通信したいデータを処理する。通話処理部２３は、通話を行うための通話に関するデータを処理する。
【００９０】
制御部５０２は、取得部１１と、通信制御部１３と、を備える。取得部１１は、第１の装着部１５および第２の装着部２１に装着されたＳＩＭカードに記憶された加入者情報を取得する。なお、第１の装着部１５に装着されたＳＩＭカードから取得する加入者情報を第１の加入者情報とし、第２の装着部２１に装着されたＳＩＭカードから取得する加入者情報を第２の加入者情報とする。取得部１１は、第２の加入者情報を取得すると、取得した第２の加入者情報を用いて、パケット通信ネットワークとの第２の通信路の確立を通信部１２に要求する。
【００９１】
通信制御部１３は、ＵＥ５０とＩＭＳネットワーク１０３との通信路を確立する。また、通信制御部１３は、装置内のパケット通信としての通信路を提供する。また、通信制御部１３は、通信部１２がｅＮｏｄｅＢ５１を介してＭＭＥ５２と送受信した通信パケットを、後述するデータ処理部２２と後述する通話処理部２３との通信路を選択して、通信パケットが適切に処理できる処理部に送信する。また、通信制御部１３は、取得した第１の加入者情報および第２の加入者情報を用いて、通信部１２がＬＴＥコアネットワーク１０１に接続する際に必要な認証処理や無線制御などの動作を行うための処理を行う。また、通信制御部１３は、取得した加入者情報を、他取得部またはＬＴＥ無線通信インタフェース５１０およびｅＮｏｄｅＢ５１を介して、ＭＭＥ５２に送信するための制御を行う。
【００９２】
続いて、図９を用いて、実施の形態３にかかる通信システム１００の動作例について説明する。図９は、実施の形態３にかかる通信システム１００の動作例を示すシーケンス図である。前提として、ＵＥ５０は、取得部１１が、第１の装着部１５に装着されたＳＩＭカードから第１の加入者情報を取得している。そして、ＵＥ５０は、第１の加入者情報を用いて、ＬＴＥコアネットワーク１０１に端末登録が既に行われており、インターネットに接続可能であり、かつＬＴＥコアネットワーク１０１との制御用の通信が可能な状態であるとする。すなわち、図３に示す通信路確立手順は実施済みであり、図９に示すように、ＵＥ５０は、アタッチ済みの状態であり、デフォルトＰＤＮである、Ｉｎｔｅｒｎｅｔ網１０４と接続状態（通信路を確立済みの状態）である。
【００９３】
ＵＥ５０は、通信部１２からPDN Connectivity RequestというＮＡＳメッセージを用いて、ＭＭＥ５２にＰＤＮ接続要求のメッセージを、ｅＮｏｄｅＢ５１を介してＭＭＥ５２に送信する（ステップＳ３４）。この際、ＵＥ５０の通信部１２は、ＰＤＮ接続要求であるPDN Connectivity RequestというＮＡＳメッセージを用いて、ＭＭＥ５２にＰＤＮ接続要求のメッセージを送るが、当該ＮＡＳメッセージ内に再認証の必要性を示すフラグである再認証フラグを設定して（含めて）送信する。ＭＭＥ５２の通信部３１は、当該メッセージを受信する。
【００９４】
ＭＭＥ５２は、PDN Connectivity Requestに再認証フラグが設定されているかを判定し、再認証が必要な場合にはＵＥ５０に対して加入者情報の要求を行う（ステップＳ３５）。具体的には、ＭＭＥ５２の判定部３２が、受信したPDN Connectivity Requestに再認証フラグが設定されているかを判定する。判定部３２が、PDN Connectivity Requestに再認証フラグが設定されていると判定すると、通信部３１から、加入者情報の要求信号である、加入者情報要求信号を送信する。
【００９５】
ＵＥ５０の通信部１２が、加入者情報要求信号を受信すると、取得部１１は、第２の加入者情報を取得する。そして、ＵＥ５０は、通信部１２から取得した第２の加入者情報をＭＭＥ５２に送信する（ステップＳ３８）。
ＭＭＥ５２は、ＵＥ５０の通信部１２から送信された第２の加入者情報を通信部３１で受信し、通信確立部３３が、受信した第２の加入者情報を用いて、ＨＳＳ５５との間で認証を行い（ステップＳ３９）、問題なければ位置登録を行う（ステップＳ４０）。
【００９６】
その後、図５に示す通信路確立手順のうち、ステップＳ２２〜ステップＳ２７の手順を行い、ＵＥ５０とＩＭＳネットワーク１０３（ＩＭＳ−ＰＤＮ）との間で通信路が確立する。その結果、ＵＥ５０は、ＵＥ５０の第２の装着部２１に装着されたＳＩＭカードに記憶された第２の加入者情報を用いて、ＩＭＳネットワーク１０３とのＰＤＮ接続が完了する。
【００９７】
実施の形態３にかかる通信システム１００によれば、上記で説明したシーケンスを実行することにより、ＵＥ５０は、第２の装着部２１に装着されたＳＩＭカードに記憶された第２の加入者情報を用いて、第２のＰＤＮとの通信路を確立することができる。そのため、１台のＬＴＥ端末が複数の加入者情報を用いて、それぞれ必要な認証情報が異なるＰＤＮへの通信経路を確立できるようになり、ＵＥ５０は、複数のパケット通信ネットワークとの複数の通信路の管理を行うことが可能となる。
【００９８】
なお、図９では、既に確立済みのＩｎｔｅｒｎｅｔ網１０４と異なるＰＤＮであるＩＭＳネットワーク１０３と、ＵＥ５０およびＵＥ７０との通信路の確立手順について説明を行ったが、同一のＰＤＮに対して、ＵＥ５０の第２の装着部２１に装着されたＳＩＭカードに記憶された第２の加入者情報を用いた通信路の確立手順であってもよい。すなわち、例えば、既に、ＩＭＳネットワーク１０３と、ＵＥ５０との通信路が確立されている場合に、ＵＥ５０は、第２の加入者情報を用いてＩＭＳネットワーク１０３との通信路を確立する手順に上記手順が適用されてもよい。その結果、１台のＬＴＥ端末が複数の加入者情報を用いて、１つのＰＤＮに対して、それぞれ異なる認証情報を用いたＰＤＮ接続を確立できるようになる。したがって、実施の形態４にかかる通信システム１００によれば、例えばＶｏＬＴＥなどの音声通話を行った際にＰＤＮ接続の通信路（ベアラ）を分けられるようになり、それぞれの通話を個別に品質管理、契約管理ができるようになるという効果も期待できる。さらに、それぞれの通話を個別に品質管理、契約管理ができることから、データ通信よりも音声通信の通信路（ベアラ）の優先度を上げる等の帯域管理だけでなく、音声通話同士の通信路（ベアラ）の管理も行え、より一層効率的な管理が可能となる。
【００９９】
上述の実施の形態では、各構成をハードウェアの構成として説明したが、これに限定されるものではない。通信端末１０、制御装置３０、ＵＥ５０、ＵＥ７０、ＭＭＥ５２の各構成は、各処理を、ＣＰＵ（Ｃｅｎｔｒａｌ  Ｐｒｏｃｅｓｓｉｎｇ  Ｕｎｉｔ）にコンピュータプログラムを実行させることにより実現することも可能である。
【０１００】
上述の例において、プログラムは、様々なタイプの非一時的なコンピュータ可読媒体（ｎｏｎ-ｔｒａｎｓｉｔｏｒｙ  ｃｏｍｐｕｔｅｒ  ｒｅａｄａｂｌｅ  ｍｅｄｉｕｍ）を用いて格納され、コンピュータに供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Ｒｅａｄ  Ｏｎｌｙ  Ｍｅｍｏｒy）、ＣＤ−Ｒ、ＣＤ−Ｒ／Ｗ、半導体メモリ（例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、フラッシュＲＯＭ、ＲＡＭ（Ｒａｎｄｏｍ  Ａｃｃｅｓｓ  Ｍｅｍｏｒｙ）を含む。また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１０１】
なお、本発明は上記実施の形態に限られたものではなく、趣旨を逸脱しない範囲で適宜変更することが可能である。例えば、実施の形態１〜３では、第２の加入者情報を用いて、第２のＰＤＮとの通信路を確立する手順は、第１のＰＤＮとの通信路が確立した後としているが、当然ながらこれに限られない。第１の加入者情報を用いて、全てのＰＤＮとの通信路が確立した後に、第２の加入者情報を用いた第２のＰＤＮとの通信路を確立する手順であってもよい。また、第１の加入者情報を用いて、第１のＰＤＮとの通信路が確立し、その後、第２の加入者情報を用いて第２のＰＤＮとの通信路を確立した後に、再度、第１の加入者情報を用いた第２のＰＤＮとの通信路を確立する手順であってもよい。また、本開示は、それぞれの実施の形態を適宜組み合わせて実施されてもよい。
【０１０２】
また、上記の実施形態の一部又は全部は、以下の付記のようにも記載されうるが、以下には限られない。
（付記１）
通信端末と、制御装置と、を備える通信システムであって、
移動通信ネットワークに接続するための第１の加入者情報を用いて、１つ以上のパケット通信ネットワークのいずれかと第１の通信路を確立しているときに、
前記通信端末は、
第２の加入者情報を取得する取得部と、
前記第２の加入者情報を用いて前記１つ以上のパケット通信ネットワークのいずれかと第２の通信路の確立を要求する場合、前記第２の加入者情報の認証を要求する再認証フラグを含む通信路を設定するための接続要求と、前記第２の加入者情報と、を前記制御装置に送信する第１の通信部と、
前記制御装置から通信路確立が完了したことを示す接続完了を受信し、前記第２の加入者情報を用いた前記第２の通信路を確立する通信制御部と、
を備え、
前記制御装置は、
前記接続要求と、前記第２の加入者情報と、を前記通信端末から受信する第２の通信部と、
前記接続要求に再認証フラグが含まれているかを判定する判定部と、
前記再認証フラグが含まれている場合、前記第２の加入者情報の認証を行い、前記第２の加入者情報を用いて前記第２の通信路に対応するパケット通信ネットワークとの通信路を確立し、前記接続完了を前記通信端末に送信する通信確立部と、
を備える、通信システム。
（付記２）
前記第１の通信部は、
前記第２の通信路を確立する際に使用する第２の加入者情報を要求する加入者情報要求を前記制御装置から受信し、
前記加入者情報要求に応じて、前記取得部が取得した第２の加入者情報を前記制御装置に送信し、
前記第２の通信部は、
前記接続要求に前記再認証フラグが含まれている場合、第２の加入者情報を要求する加入者情報要求を前記通信端末に送信し、
前記加入者情報要求に応じて、前記第２の加入者情報を前記通信端末から受信する、
付記１に記載の通信システム。
（付記３）
前記接続要求は第１の接続要求であって、
前記通信端末は、
前記第２の通信路の確立を要求する第２の接続要求を他の通信端末から受信し、前記制御装置から受信した前記加入者情報要求を前記他の通信端末に送信する第３の通信部をさらに備え、
前記取得部は、
前記他の通信端末からの前記加入者情報要求の応答信号から第２の加入者情報を取得し、
前記通信制御部は、
前記制御装置から接続完了を受信することにより、前記第２の通信路に対応するパケット通信ネットワークと、前記他の通信端末との間で通信路を確立させる、
付記２に記載の通信システム。
（付記４）
前記通信端末は、
加入者情報が記憶された加入者識別カードを装着する装着部をさらに備え、
前記取得部は、
前記装着部に装着された加入者識別カードから第２の加入者情報を取得する、
付記１または２に記載の通信システム。
（付記５）
前記通信確立部は、
前記接続要求に前記再認証フラグが含まれている場合、移動通信ネットワークに接続可能な加入者情報を記憶する加入者情報管理装置との間で、前記第２の加入者情報の認証と、前記第２の加入者情報の位置登録とを行う、
付記１〜４のいずれか１項に記載の通信システム。
（付記６）
移動通信ネットワークに接続するための第１の加入者情報を用いて、１つ以上のパケット通信ネットワークのいずれかと第１の通信路を確立しているときに、
第２の加入者情報を取得する取得部と、
前記第２の加入者情報を用いて前記１つ以上のパケット通信ネットワークのいずれかパケット通信ネットワークとの第２の通信路の確立を要求する場合、前記第２の加入者情報の認証を要求する再認証フラグを含む通信路を設定するための接続要求と、前記第２の加入者情報と、を制御装置に送信する通信部と、
前記制御装置から接続完了を受信することにより、前記第２の加入者情報を用いた前記第２の通信路を確立する通信制御部と、
を備える通信端末。
（付記７）
前記通信部は、
前記第２の通信路を確立する際に使用する第２の加入者情報を要求する加入者情報要求を前記制御装置から受信し、
前記制御装置からの前記加入者情報要求に応じて、前記取得部が取得した第２の加入者情報を前記制御装置に送信する、
付記６に記載の通信端末。
（付記８）
移動通信ネットワークに接続するための第１の加入者情報を用いて１つ以上のパケット通信ネットワークのいずれかのパケット通信ネットワークと第１の通信路を確立しているときに、
前記１つ以上のパケット通信ネットワークのいずれかのパケット通信ネットワークと第２の通信路の確立を要求する接続要求と、第２の加入者情報と、を通信端末から受信する通信部と、
前記接続要求に再認証フラグが含まれているかを判定する判定部と、
前記再認証フラグが含まれている場合、前記第２の加入者情報の認証を行い、前記第２の加入者情報を用いて前記第２の通信路に対応するパケット通信ネットワークとの通信路を確立する通信確立部と、
を備える制御装置。
（付記９）
通信端末と、制御装置と、を備える通信システムにおける通信制御方法であって、
移動通信ネットワークに接続するための第１の加入者情報を用いて、１つ以上のパケット通信ネットワークのいずれかと第１の通信路を確立しているときに、
前記通信端末は、
第２の加入者情報を用いて、前記第２の加入者情報の認証を要求する再認証フラグを含み、前記１つ以上のパケット通信ネットワークのいずれかと第２の通信路を設定するための接続要求と、前記第２の加入者情報と、を前記制御装置に送信し、
前記制御装置は、
前記接続要求と、前記第２の加入者情報と、を前記通信端末から受信し、
前記接続要求に再認証フラグが含まれている場合、前記第２の加入者情報の認証を行い、
前記第２の加入者情報を用いて、前記通信端末と第２の通信路に対応するパケット通信ネットワークとの通信路を確立する、
通信制御方法。
（付記１０）
移動通信ネットワークに接続するための第１の加入者情報を用いて、１つ以上のパケット通信ネットワークのいずれかのパケット通信ネットワークと第１の通信路を確立しているときに、
第２の加入者情報を取得するステップと、
前記第２の加入者情報を用いて、パケット通信ネットワークとの第２の通信路の確立を要求する場合、前記第２の加入者情報の認証を要求する再認証フラグを含む通信路を設定するための接続要求と、前記第２の加入者情報と、を制御装置に送信するステップと、
前記制御装置から接続完了を受信することにより、前記第２の加入者情報を用いた前記第２の通信路を確立するステップと、
を通信端末に実行させる通信プログラム。
（付記１１）
前記通信部は第１の通信部であり、
前記接続要求は第１の接続要求であって、
前記第２の通信路の確立を要求する第２の接続要求を他の通信端末から受信し、前記制御装置からの前記加入者情報要求を前記他の通信端末に送信する第２の通信部、をさらに備え、
前記取得部は、
前記他の通信端末から、前記加入者情報要求の応答信号から第２の加入者情報を取得し、
前記通信制御部は、
前記制御装置から接続完了を受信することにより、前記第２の通信路に対応するパケット通信ネットワークと、前記他の通信端末との間で通信路を確立させる、
付記７に記載の通信端末。
（付記１２）
加入者情報が記憶された加入者識別カードを装着する装着部をさらに備え、
前記取得部は、
前記装着部に装着された加入者識別カードから第２の加入者情報を取得し、
取得した前記第２の加入者情報を用いて、パケット通信ネットワークとの第２の通信路の確立を前記通信部に要求する、
付記６または７に記載の通信端末。
（付記１３）
前記通信部は、
前記接続要求に前記再認証フラグが含まれている場合、第２の加入者情報を要求する加入者情報要求を前記通信端末に送信し、
前記加入者情報要求の応答信号により前記第２の加入者情報を受信する、
付記８に記載の制御装置。
（付記１４）
前記通信確立部は、
前記接続要求に前記再認証フラグが含まれている場合、移動通信ネットワークに接続可能な加入者情報を記憶する加入者情報管理装置との間で前記第２の加入者情報の認証と、前記第２の加入者情報の位置登録と、を行う、
付記８または１３に記載の制御装置。
【符号の説明】
【０１０３】
１、１００  通信システム
１０  通信端末
１１、７４  取得部
１２、１４、３１、７２  通信部
１３、７５  通信制御部
１５、２１、７１  装着部
２０  基地局
２２、７６  データ処理部
２３、７７  通話処理部
３０  制御装置
３２  判定部
３３  通信確立部
４０  第１のＰＤＮ
４１  第２のＰＤＮ
５１  ｅＮｏｄｅＢ
５２  ＭＭＥ
５３  ＳＧＷ
５４  ＰＧＷ
５５  ＨＳＳ
５６  ＡＳ
５７  Ｓ−ＣＳＣＦ
５８  ＭＧＣＦ
５９  Ｐ−ＣＳＣＦ
６０  Ｉ−ＣＳＣＦ
６１  既存電話網
６２  他ＩＭＳ網
５０、７０、７０＿１、７０＿２  ＵＥ
１０１  ＬＴＥコアネットワーク
１０２  ＥＰＣネットワーク
１０３  ＩＭＳネットワーク
１０４  Ｉｎｔｅｒｎｅｔ網
１０５  他ＩＰ網
５０２、７０２  制御部
【図１】
2018133606.tif 000003
【図２】
2018133606.tif 000004
【図３】
2018133606.tif 000005
【図４】
2018133606.tif 000006
【図５】
2018133606.tif 000007
【図６】
2018133606.tif 000008
【図７】
2018133606.tif 000009
【図８】
2018133606.tif 000010
【図９】
2018133606.tif 000011